(57)【特許請求の範囲】
【請求項１】
被取付面に取り付けられ、調光制御、被照射面への直接照明ならびに前記被取付面および前記被取付面に隣接する壁面の少なくとも一方の間接照明を含む配光制御、調色制御が可能であり、かつ持ち運び自在である照明器具用リモコンから操作信号を送信することによって、前記調光制御、配光切り替えを含む前記配光制御、および前記調色制御の少なくとも一つを遠隔操作することが可能である照明器具の、前記照明器具用リモコンであって、
前記照明器具用リモコンの筐体の表面である操作面に設けられる複数の操作ボタンを、使用頻度の高、中、低によって３つの区分に分類して階層化し、使用頻度が高の区分を第１階層とし、使用頻度が中の区分を第２階層とし、使用頻度が低の区分を第３階層とし、 前記複数の操作ボタンのうちの、前記第１階層に属する操作ボタンとして調光制御用ボタンを設定し、前記第２階層に属する操作ボタンとして配光制御用ボタンを設定し、前記第３階層に属する操作ボタンとして調色制御用ボタンを設定し、
前記調光制御用ボタンを、前記操作面の中央に配置し、
前記調光制御用ボタンを収容する第１の円を想定し、前記第１の円と中心が同じであり、かつ前記第１の円よりも直径が大きな第２の円を想定した場合に、前記配光制御用ボタンを、前記第１の円の周囲の、前記第２の円内の領域に配置し、
前記第１の円および前記第２の円と中心が同じであり、かつ前記第２の円よりも直径が大きい第３の円を想定した場合に、前記調色制御用ボタンを、前記第２の円の周囲の、前記第３の円内の領域に配置した照明器具用リモコン。
【請求項２】
請求項１に記載の照明器具用リモコンにおいて、
前記照明器具用リモコンの前方端部から前記操作信号が送信され、
前記配光制御用ボタンは、
前記被照射面の直接照明と、前記被取付面および前記壁面の少なくとも一方の間接照明と、の双方を実行する、ふだんモードを設定する第１ボタンと、
前記被照射面の直接照明のみを実行する、勉強モードを設定する第２ボタンと、
前記被取付面および前記壁面の双方の周辺の間接照明のみを実行する、くつろぎモードを設定する第３ボタンと、
前記壁面の周辺の間接照明のみを実行する、シアターモードを設定する第４ボタンと、
を有し、
前記第１ボタンないし前記第４ボタンの中で最も使用頻度が高いと考えられる前記第１ボタンを、前記第１の円の周囲の、前記第２の円内の領域における、前記前方端部側に配置した照明器具用リモコン。
【請求項３】
請求項１または請求項２に記載の照明器具用リモコンにおいて、
前記照明器具の配光状態に、調光状態および調色状態を関連付けて記憶し、前記照明器具の次の使用時において、記憶されている情報に基づいて、前記照明器具の、直近の配光状態における、調光状態および調色状態を再現する照明器具用リモコン。
【請求項４】
請求項１に記載の照明器具用リモコンにおいて、
前記調色制御用ボタンによって、前記照明器具の光色を、白色と電球色との間で連続的に可変である照明器具用リモコン。
【請求項５】
請求項１ないし請求項４のうちのいずれか１項に記載の照明器具用リモコンにおいて、
前記照明器具用リモコンの前方端部から前記操作信号が送信され、
前記操作面における、前記第３の円の外側であって、前記前方端部とは反対の端部である後方端部の側において、全ての光源をオフにする消灯モードボタン、一部または全ての光源を低光束でオンする常夜灯モードボタン、任意の箇所を照射する手元灯モードボタンおよび一定時間後に全ての光源をオフにするおやすみモードボタンのうちの少なくとも一つの操作ボタンをさらに配置する照明器具用リモコン。
【請求項６】
請求項１ないし請求項５のうちのいずれか１項に記載の照明器具用リモコンにおいて、  前記操作面に、前記照明器具の現在の配光状態を表示する表示部が設けられる照明器具用リモコン。
【請求項７】
請求項６に記載の照明器具用リモコンであって、
照明が開始された後に、前記照明器具の調光状態または調色状態が変更されると、変更後の情報を記憶し、かつ前記表示部に、現在の配光状態に加えて、現在の調光状態または調色状態を表示する照明器具用リモコン。
【請求項８】
被取付面に取り付けられ、調光制御、被照射面への直接照明ならびに前記被取付面および壁面の少なくとも一方の間接照明を含む配光制御、調色制御が可能であり、かつ持ち運び自在である照明器具用リモコンから操作信号を送信することによって、前記調光制御、配光切り替えを含む前記配光制御、および前記調色制御の少なくとも一つを遠隔操作することが可能である照明器具の、前記照明器具用リモコンであって、
前記照明器具用リモコンの筐体の表面である操作面に設けられる複数の操作ボタンを、３つの区分に分類して階層化し、
前記３つの区分の各々に対応する、中心が同じである３つの同心円を想定し、前記３つの区分に階層化された前記複数の操作ボタンの各々を、前記３つの同心円のうちの、各操作ボタンの階層に対応する同心円内に配置すると共に、前記調光制御のための調光制御用ボタンを、前記３つの同心円の中央に配置し、
かつ、前記調光制御用ボタンの中心部よりも上部を押圧すると明るさが増加し、中心部よりも下部を押圧すると明るさが低下する照明器具用リモコン。
【発明の詳細な説明】
【技術分野】
【０００１】
本発明は，照明器具の配光状態を指示するための照明器具用リモコンに関するものである。
【背景技術】
【０００２】
従来より、電気製品をリモコンにより操作することが行われている（例えば、特許文献１参照）。
図１１に示すように、リモコン１００はテレビ（図示省略）を操作するものであり、全体矩形状の絶縁樹脂製の筐体１０１を有する。筐体１０１の表面１０１Ａには、同じく絶縁樹脂製の操作キー１０２，１０３が設けられている。操作キー１０２，１０３は、上部が筐体１０１の表面１０１Ａから突出して設けられており、表面１０１Ａから出没可能に設けられている。
また、筐体１０１の表面には、絶縁樹脂製で略リング状の操作体１０４が揺動可能に設けられており、操作体１０４の中央には、同じく絶縁樹脂製の押圧体１０５が上下動可能に設けられている。
【先行技術文献】
【特許文献】
【０００３】
【特許文献１】特開２００５−４５５７６号公報（第２図）
【発明の概要】
【発明が解決しようとする課題】
【０００４】
しかしながら、前述したようなリモコン１００はテレビ用のものではあるが、操作性を考慮したものでは無かった。
また、近年の照明器具は、光量調整や光色調整、その他省エネ機能や記憶性能等の複雑な機能を有するようになってきた。
このため、照明器具をリモコンにより操作する際に、従来のリモコンでは、外観や直感によって、照明器具の機能を十分に発揮することができないという問題があった。
【０００５】
本発明は、従来の問題を解決するためになされたもので、照明器具の諸機能をリモコンの外観から推測して容易に操作できる照明器具用リモコンを提供することを目的とする。
【課題を解決するための手段】
【０００６】
本発明の照明器具用リモコンは、被取付面に取り付けられ、調光制御、被照射面への直接照明ならびに前記被取付面および前記被取付面に隣接する壁面の少なくとも一方の間接照明を含む配光制御、調色制御が可能であり、かつ持ち運び自在である照明器具用リモコンから操作信号を送信することによって、前記調光制御、配光切り替えを含む前記配光制御、および前記調色制御の少なくとも一つを遠隔操作することが可能である照明器具の、前記照明器具用リモコンであって、前記照明器具用リモコンの筐体の表面である操作面に設けられる複数の操作ボタンを、使用頻度の高、中、低によって３つの区分に分類して階層化し、使用頻度が高の区分を第１階層とし、使用頻度が中の区分を第２階層とし、使用頻度が低の区分を第３階層とし、前記複数の操作ボタンのうちの、前記第１階層に属する操作ボタンとして調光制御用ボタンを設定し、前記第２階層に属する操作ボタンとして配光制御用ボタンを設定し、前記第３階層に属する操作ボタンとして調色制御用ボタンを設定し、前記調光制御用ボタンを、前記操作面の中央に配置し、前記調光制御用ボタンを収容する第１の円を想定し、前記第１の円と中心が同じであり、かつ前記第１の円よりも直径が大きな第２の円を想定した場合に、前記配光制御用ボタンを、前記第１の円の周囲の、前記第２の円内の領域に配置し、前記第１の円および前記第２の円と中心が同じであり、かつ前記第２の円よりも直径が大きい第３の円を想定した場合に、前記調色制御用ボタンを、前記第２の円の周囲の、前記第３の円内の領域に配置したものである。
【０００７】
また、本発明の照明器具用リモコンは、前記照明器具用リモコンの前方端部から前記操作信号が送信され、前記配光制御用ボタンは、前記被照射面の直接照明と、前記被取付面および前記壁面の少なくとも一方の間接照明と、の双方を実行する、ふだんモードを設定する第１ボタンと、前記被照射面の直接照明のみを実行する、勉強モードを設定する第２ボタンと、前記被取付面および前記壁面の双方の周辺の間接照明のみを実行する、くつろぎモードを設定する第３ボタンと、前記壁面の周辺の間接照明のみを実行する、シアターモードを設定する第４ボタンと、を有し、前記第１ボタンないし前記第４ボタンの中で最も使用頻度が高いと考えられる前記第１ボタンを、前記第１の円の周囲の、前記第２の円内の領域における、前記前方端部側に配置したものである。
【０００８】
また、本発明の照明器具用リモコンは、前記照明器具の配光状態に、調光状態および調色状態を関連付けて記憶し、前記照明器具の次の使用時において、記憶されている情報に基づいて、前記照明器具の、直近の配光状態における、調光状態および調色状態を再現するものである。
【０００９】
また、本発明の照明器具用リモコンは、前記調色制御用ボタンによって、前記照明器具の光色を、白色と電球色との間で連続的に可変であるものである。
【００１０】
また、本発明の照明器具用リモコンは、前記照明器具用リモコンの前方端部から前記操作信号が送信され、前記操作面における、前記第３の円の外側であって、前記前方端部とは反対の端部である後方端部の側において、全ての光源をオフにする消灯モードボタン、一部または全ての光源を低光束でオンする常夜灯モードボタン、任意の箇所を照射する手元灯モードボタンおよび一定時間後に全ての光源をオフにするおやすみモードボタンのうちの少なくとも一つの操作ボタンをさらに配置するものである。
【００１１】
また、本発明の照明器具用リモコンは、前記操作面に、前記照明器具の現在の配光状態を表示する表示部が設けられるものである。
【００１２】
また、本発明の照明器具用リモコンは、照明が開始された後に、前記照明器具の調光状態または調色状態が変更されると、変更後の情報を記憶し、かつ前記表示部に、現在の配光状態に加えて、現在の調光状態または調色状態を表示するものである。
【００１３】
また、本発明の照明器具用リモコンは、被取付面に取り付けられ、調光制御、被照射面への直接照明ならびに前記被取付面および壁面の少なくとも一方の間接照明を含む配光制御、調色制御が可能であり、かつ持ち運び自在である照明器具用リモコンから操作信号を送信することによって、前記調光制御、配光切り替えを含む前記配光制御、および前記調色制御の少なくとも一つを遠隔操作することが可能である照明器具の、前記照明器具用リモコンであって、前記照明器具用リモコンの筐体の表面である操作面に設けられる複数の操作ボタンを、３つの区分に分類して階層化し、前記３つの区分の各々に対応する、中心が同じである３つの同心円を想定し、前記３つの区分に階層化された前記複数の操作ボタンの各々を、前記３つの同心円のうちの、各操作ボタンの階層に対応する同心円内に配置すると共に、前記調光制御のための調光制御用ボタンを、前記３つの同心円の中央に配置し、かつ、前記調光制御用ボタンの中心部よりも上部を押圧すると明るさが増加し、中心部よりも下部を押圧すると明るさが低下するものである。
【発明の効果】
【００１４】
本発明は、最も頻繁に使用する第１操作ボタンをリモコンの操作面の中央に配置したので、照明器具へ信号を送信する際にリモコンの外観を見ながら手にとると必ず第１操作ボタンに指が触れ、容易に操作できる。また、第１操作ボタンに次いで使用頻度が高い第２操作ボタンを第１操作ボタンの周囲に配置し、さらに使用頻度が低い第３操作ボタンを第１操作ボタンから遠い位置に配設したので、使用頻度に応じて容易に操作できるという効果を有する照明器具用リモコンを提供できる。
【図面の簡単な説明】
【００１５】
【図１】本発明に係る照明器具用リモコンおよび照明器具の全体斜視図
【図２】照明器具の一例を下方から見た分解斜視図
【図３】照明器具の中心を通る断面図
【図４】照明器具を上方から見た平面図
【図５】光の配光状態を示す説明図
【図６】（Ａ）は本発明にかかる実施形態の照明器具用リモコンの平面図であり、（Ｂ）は側面図
【図７】操作ボタンの階層を示すブロック図
【図８】入切ボタンを照明器具用リモコンの操作面中央に設けた場合を示す平面図
【図９】（Ａ）ないし（Ｄ）は、第１操作ボタンの変形例を示す平面図
【図１０】（Ａ）ないし（Ｃ）は、第２操作ボタンの変形例を示す平面図
【図１１】従来のリモコンの斜視図
【発明を実施するための形態】
【００１６】
以下、本発明に係る照明器具用リモコンについて、図面を用いて説明する。
図１に示すように、本発明に係る実施形態の照明器具用リモコン１０（以後、「リモコン１０」という。）は、例えば被取付面である天井面１１に取り付けられている照明器具１３に操作信号を送信して、照明器具１３の配光を操作するものである。
【００１７】
照明器具１３としては、種々の配光モードが選択可能なものが用いられる。
例えば、図１に示すように、照明器具１３は、天井面１１等に取り付けられて、下方および側方を照明するのに適する。
図２ないし図４に示すように、照明器具１３は、天井面１１に取り付けられる器具本体２０を有する。器具本体２０の中心には取付金具２１が設けられており、この取付金具２１を天井面１１に取り付けられている引っ掛けシーリング１２に取り付けることにより、器具本体２０は天井面１１に取り付けられる。
【００１８】
器具本体２０の上側（すなわち、天井面１１側）には、アッパーユニット３０、上枠３２および上パネル３１が設けられている。アッパーユニット３０は、外向きに照射するように器具本体２０に取り付けられる。
【００１９】
また、器具本体２０の下側（すなわち、照明方向側）には、ロアーユニット４０および反射板６０が設けられており、反射板６０の下方には、受けた光を拡散する透光性のパネル５０が取り付けられる。ロアーユニット４０は、器具本体２０の内側向きに照射するように取り付けられる。
従って、ロアーユニット４０から発せられた光は、反射板６０で下方へ反射してパネル５０に照射され、パネル５０が発光して下方を照明する。
なお、器具本体２０には、アッパーユニット３０およびロアーユニット４０を制御する制御部（図示省略）が設けられる。
【００２０】
図２および図３に示したように、ロアーユニット４０の下方には、パネル５０が着脱可能に取り付けられる。パネル５０は、照射された光を拡散するものであり、複数箇所に、光透過率が低いパネルカバー５１を設けられている。
また、パネルカバー５１は孔５２、５３を有し、例えば孔５２の内側には、リモコン１０からの信号を受信するための受信装置２２が配設されている。受信装置２２は制御部に接続されており、受信した信号を制御部に伝達して、アッパーユニット３０およびロアーユニット４０を制御する。
【００２１】
図５に示すように、照明器具１３の下側のロアーユニット４０から、照明器具１３の内部に向かって発せられた光Ｌ１は、反射板６０で下方に反射してパネル５０に入射して拡散する。これにより、パネル５０全体が光源となって下方を照明する。
一方、照明器具１３の上側のアッパーユニット３０から照明器具１３の外側へ発せられた光Ｌ２は、一部は天井面１１と平行に照射されて、壁面Ｗを照明する。また、一部は上方へ照射されて天井面１１に当たり、下方へ反射して壁面Ｗを照明する。さらに、一部は下方へ照射されて照明器具１３の上枠３２に当たって上方へ反射し、天井面１１を照明する。あるいは、さらに天井面１１で反射して壁面Ｗを照明する。
従って、制御部がアッパーユニット３０およびロアーユニット４０を制御することにより、種々の配光モードが可能となっている。
【００２２】
図６に示すように、本発明に係る実施形態のリモコン１０は、前述した照明器具１３の配光状態を調整するのに用いられる。
リモコン１０は、全体略矩形状の合成樹脂製の筐体７０を有する。図６（Ａ）に示すように、筐体７０の幅は、送信側前方（図６において上方）の幅Ｂ１が、手元側（図６において下方）の幅Ｂ２よりも小さいのが望ましい。すなわち、送信方向に向かって細くなっている。
また、図６（Ｂ）に示すように、筐体７０の厚みは、送信側前方の厚みＴ１が，手元側の厚みＴ２よりも小さくなっているのが望ましい。すなわち、送信方向に向かって薄くなっている。
これにより、使用者がリモコン１０を手で握ったときに、目で確認しなくても送信方向前方が認識できる。
【００２３】
筐体７０の表面である操作面７１の中央には、照明中に最も頻繁に使用する第１操作ボタン７２が配設されている。そして、第１操作ボタン７２に次いで使用頻度が高い第２操作ボタン７３が、第１操作ボタン７２の周囲に配置され、さらに、使用頻度が低い第３操作ボタン７４が、第１操作ボタン７２から遠い位置、すなわち第２操作ボタン７３の周囲に配設されている。
従って、第２操作ボタン７３および第３操作ボタン７４は、第１操作ボタン７２を中心とする同心円状に配置することができる。
なお、同心円状とは、完全な円のみならず、円の一部である円弧を含む意味である。
【００２４】
このリモコン１０は、筐体７０の裏面（背面）に球面状の凹部１０Ａが設けられている（図２も参照）。凹部１０Ａは、第１操作ボタン７２に対応する位置に設けられている。
従って、操作者が手でリモコン１０を握った際、人差し指もしくは中指が凹部１０Ａに位置するように握れば、自然に親指が第１操作ボタン７２付近に位置するようになり、操作しやすくなる。
【００２５】
第１操作ボタン７２、第２操作ボタン７３および第３操作ボタン７４を、操作における階層を構成するように設定できる。
例えば、図７に示すように、階層を使用頻度で構成すると、最も上位の階層にある第１操作ボタン７２を光量調整ボタンとすることができる。第１操作ボタン７２は、中心部よりも上部７２１を押圧すると配光出力を増加し、中心部よりも下部７２２を押圧すると配光出力を低減するように設定することができる（図６（Ａ）参照）。
光量の調整は、制御部がアッパーユニット３０およびロアーユニット４０の出力を制御することにより行われる。
【００２６】
第１操作ボタン７２の次の階層に位置する第２操作ボタン７３は、例えば、複数の配光モードから所望の配光モードを選択する配光モード切り替えボタンとすることができる。配光モードとしては、例えば、「ふだんモード」、「勉強モード」、「くつろぎモード」、「シアターモード」等を設定することができ、これに対応して第２操作ボタン７３を複数個の操作ボタンで構成することができる（図６（Ａ）参照）。
【００２７】
図６に示すように、最も使用頻度が高い「ふだんモード」に切り替えるモード１ボタン７３１を、一対の区切７３５、７３５で区切って、第１操作ボタン７２の送信方向前方に独立して配設する。この際、区切７３５は、第１操作ボタン７２の中心に向かう。
そして、使用頻度があまり高くない「勉強モード」をモード２ボタン７３２に、「くつろぎモード」をモード３ボタン７３３に、「シアターモード」をモード４ボタン７３４に設定して、第１操作ボタン７２の周囲に配設することができる。
【００２８】
「ふだんモード」は、制御部がアッパーユニット３０およびロアーユニット４０の両方を点灯させて部屋全体を照明するような配光モードとすることができる。
「勉強モード」は、制御部がロアーユニット４０により机の位置を明るく照明するとともに、周囲を暗くするような配光モードとすることができる。
「くつろぎモード」は、アッパーユニット３０により壁面Ｗおよび天井面１１を明るく照明するような配光モードとすることができる。
また、「シアターモード」は、テレビが配置されている側の壁面の上部をアッパーユニット３０で照明し、周囲を暗くするような配光モードとすることができる。
なお、使用者が望むその他のモードを設定することもできる。
【００２９】
図６および図７に示すように、さらに階層が低い第３操作ボタン７４は、光色を変更する光色変更ボタンとすることができる。第３操作ボタン７４は、光色をより白色に近付ける白色ボタン７４１と、光色をより電球色に近付ける電球色ボタン７４２で構成することができる。白色ボタン７４１および電球色ボタン７４２は、各々独立して設けることができ、白色ボタン７４１の外側端面７４１Ａおよび電球色ボタン７４２の外側端面７４２Ａを、第２操作ボタン７３の区切７３５の延長とすることができる。
あるいは、第３操作ボタン７４を１個のボタンで構成し、白色側を押すことにより連続的に白色に近付け、電球色側を押すことにより連続的に電球色に近付けるように設定することもできる。
【００３０】
光色の調整は、アッパーユニット３０およびロアーユニット４０に、白色の光源および電球色の光源を設けておき、両光源の点灯比率を調整することに行うことができる。
あるいは、アッパーユニット３０およびロアーユニット４０に光色を変えることができる光源を設けておき、光源の色を調整することにより行うこともできる。
【００３１】
なお、第２操作ボタン７３のいずれかを押してモードを設定した後に、第１操作ボタン７２で光量を調整したり、第３操作ボタン７４で光色を調整した場合には、各モードボタン７３１，７３２，７３３，７３４に対する光量および光色を記憶するようにする。そして、次にモードボタン７３１，７３２，７３３，７３４が押された際には、前に設定した光量および光色で配光する。
【００３２】
図６に示すように、操作面７１における第１操作ボタン７２、第２操作ボタン７３および第３操作ボタン７４より下方（手元側）に、照明器具１３の使用を終了する終了ボタン７５を配設することができる。
終了ボタン７５としては、全ての光源をオフにするとともにリモコン１０からの信号を受信可能とする消灯モードボタン７５１、一部または全ての光源を低光束でオンする常夜灯モードボタン７５２、任意の狭い箇所を照明する手元灯モードボタン７５３および一定時間経過後に全ての光源をオフにするとともにリモコン１０からの信号を受信可能とするおやすみモードボタン７５４が例示できる。
なお、最も使用頻度が高い消灯モードボタン７５１を他の終了ボタン７５よりも大きくするとともに、操作面７１の中央寄りに設けるのが望ましい。
【００３３】
さらに使用頻度が低い操作ボタン７７を設ける場合には、第１操作ボタン７２からさらに遠い位置に配設することができる。
操作ボタン７７としては、例えば、省エネを図るエコナビボタン７７１や、所定の時間が来たら照明器具１３をオンにするとともに、所定の時間が来たら照明器具１３をオフとする留守番ボタン７７２等を設けることができる。
【００３４】
操作面７１における送信方向先端部には、照明器具１３の配光状態を示す液晶表示部７６を有する。また、液晶表示部７６には、各配光モードにおいて行われた光量や光色の調整の調整情報を表示できる。
【００３５】
次に、リモコン１０の一般的な使用状態の例について説明する。
消灯している状態から照明器具１３を点灯させる際には、完全に電源がオフとなってリモコン１０からの信号を受信できない状態となっている場合には、例えば壁面に設けられている電源スイッチ（図示省略）をオンとする。なお、消灯モード、常夜灯モード、手元灯モードおよびおやすみモード等により消灯している場合には、電源スイッチはオンとなっているので、電源スイッチの操作は必要ない。
【００３６】
まず、第２操作ボタン７３における所望の操作ボタンを押して、配光モードを設定することにより、照明器具１３を点灯させる。このとき、照明器具１３は、前に調整して記憶している光量および光色で点灯する。
この状態から調整する場合には、第１操作ボタン７２を操作して、明るさ（光量）を調整する。また、第３操作ボタン７４を操作して，光色を調整する。この、光量および光色の調整状態は、第２操作ボタン７３の配光モードとともに記憶される。
【００３７】
また、照明器具１３の使用を終了する際には、消灯モードボタン７５１、常夜灯モードボタン７５２、手元灯モードボタン７５３およびおやすみモードボタン７５４から所望のモードボタンを選択する。なお、長期間照明器具１３を使用しない場合や、リモコン１０を使用しない場合には、電源スイッチで電源オフとする。
【００３８】
以上、説明した本発明に係る実施形態のリモコン１０によれば、照明器具１３による照明中に最も頻繁に使用する第１操作ボタン７２をリモコン１０の操作面７１の中央に配置した。このため、照明器具１３へ信号を送信する際に、リモコン１０の外観を見ながら手にとると必ず第１操作ボタン７２に指が触れ、容易に操作できる。
また、第１操作ボタン７２に次いで使用頻度が高い第２操作ボタン７３を第１操作ボタン７２の周囲に配置し、さらに使用頻度が低い第３操作ボタン７４を第１操作ボタン７２から遠い位置に配設したので、使用頻度に応じて容易に操作できる。
【００３９】
また、第１操作ボタン７２、第２操作ボタン７３および第３操作ボタン７４は、操作における階層を構成する。この階層に対応して、照明器具１３による照明中に最も頻繁に使用する第１操作ボタン７２を中心に配置し、第２操作ボタン７３および第３操作ボタン７４を同心円状に配置した。このため、外観から直感で各操作ボタンの機能を推測でき、容易に照明器具を操作できる。
【００４０】
また、第１操作ボタン７２が光量調整ボタンであり、中心部よりも上部を押圧すると配光出力を増加し、中心部よりも下部を押圧すると配光出力を低減するので、第１操作ボタン７２の機能を外観や直感で容易に把握でき、照明器具１３を容易に操作できる。
【００４１】
また、第２操作ボタン７３は、複数の配光モードから所望の配光モードを選択する配光モード切り替えボタンであり、使用者が配光モードにおける光量および光色を再設定した場合には、その情報を記憶できる。このため、次に第２操作ボタン７３を押して配光モードを設定した場合には、直前に設定した光量および光色で照明器具１３を即座に点灯できる。
【００４２】
また、第３操作ボタン７４は光色を変更する光色変更ボタンであるので、第３操作ボタン７４を用いて、各配光モードにおける光色を調整できる。
【００４３】
また、操作面７１における第１操作ボタン７２、第２操作ボタン７３および第３操作ボタン７４より下方に、消灯モードボタン７５１、常夜灯モードボタン７５２、手元灯モードボタン７５３およびおやすみモードボタン７５４のうちの少なくとも一つのボタンをさらに配置した。このため、照明器具１３の使用を終了するモードを容易に選択することができる。
【００４４】
また、液晶表示部７６に現在の配光状態を表示するので、現在の配光状態を容易に把握でき、照明器具１３を適切に操作できる。
【００４５】
さらに、配光モードにおいて行った調整の調整情報を記憶するとともに、液晶表示部７６に表示するので、調整後における配光状態を把握して、照明器具を適切に操作できる。
【００４６】
なお、本発明の照明器具用リモコン１０は、前述した実施形態に限定されるものでなく、適宜な変形，改良等が可能である。
例えば、前述した実施形態においては、照明器具用リモコン１０の操作面７１の中央に光量調整ボタンを第１操作ボタン７２として配設したが、さらに使用頻度が高い操作ボタンがある場合には、この操作ボタンを操作面７１の中央に配設することができる。例えば、図８に示すように、入切ボタン７８を設ける場合には、第１操作ボタン７２の内側に配設することができる。
【００４７】
また、前述した実施形態においては、第１操作ボタン７２の機能として、光量の増減（すなわち、明暗の調整）を行う場合について説明したが、さらに、図９（Ａ）に示す第１操作ボタン７２Ａように、寒暖の調整機能を付加して集約することもできる。
あるいは、図９（Ｂ）に示すように、第１操作ボタン７２Ｂを、十字形に４個の操作ボタン７２３を配置して構成することができる。
また、図９（Ｃ）に示すように、第１操作ボタン７２Ｃを、平行に４個の操作ボタン７２４を配置して構成することができる。
さらに、図９（Ｄ）に示すように、第１操作ボタン７２Ｄを、スライド式に構成することができる。
【００４８】
また、前述した実施形態においては、第２操作ボタン７３を円形のリング形状として４分割した場合を示したが、これに限るものではない。
例えば、図１０（Ａ）に示す第２操作ボタン７３Ａのように、矩形枠状として、４分割とすることができる。
また、図１０（Ｂ）に示す第２操作ボタン７３Ｂのように、配光モードの数に応じて、円形リング状を例えば６分割することができる。
さらに、図１０（Ｃ）に示す第２操作ボタン７３Ｃのように、ダイヤル式とすることができる。
【符号の説明】
【００４９】
１０  照明器具用リモコン
１３  照明器具
７１  操作面
７２、７２Ａ、７２Ｂ、７２Ｃ、７２Ｄ  第１操作ボタン
７２１  上部
７２２  下部
７３  第２操作ボタン
７４  第３操作ボタン
７５１  消灯モードボタン
７５２  常夜灯モードボタン
７５３  手元灯モードボタン
７５４  おやすみモードボタン
７６  液晶表示部
【図１】
0005685725.tif 000002
【図２】
0005685725.tif 000003
【図３】
0005685725.tif 000004
【図４】
0005685725.tif 000005
【図５】
0005685725.tif 000006
【図６】
0005685725.tif 000007
【図７】
0005685725.tif 000008
【図８】
0005685725.tif 000009
【図９】
0005685725.tif 000010
【図１０】
0005685725.tif 000011
【図１１】
0005685725.tif 000012